(57)【特許請求の範囲】
【請求項１】
水を気化する加湿フィルターと、該加湿フィルターを通過する空気を送る送風手段とを備えた加湿装置において、
枠体に前記加湿フィルターが取外し自在に収容されてなる加湿フィルター体と、水を加湿フィルターに送る送水手段と、該送水手段からの水を加湿フィルターに散水する散水手段と、装置本体に着脱自在に装着され前記加湿フィルター体の下方に水を一時的に貯める水受けトレーとが設けられ、
前記水受けトレーは、トレー本体と、これに一体をなし前記加湿フィルター体を着脱自在に装着するフィルター装着部とから構成され、
前記送水手段は、前記水受けトレーに設けられた送水ポンプと、該送水ポンプから送られた水を前記散水手段に送るよう加湿フィルター体に取り付けられた送水管とを備え、該送水管は、前記送水ポンプの吐出口に水密状態で接続可能なゴム状弾性体からなるポンプ側接続ジョイントを有し、加湿フィルター体をフィルター体装着部に装着したときに、前記送水ポンプの吐出口に前記送水管のポンプ側接続ジョイントが着脱自在に接続されることを特徴とする加湿装置。
【請求項２】
前記散水手段は、底面部に空気の流れ方向に複数の散水穴が形成された加湿ボックスから構成され、該加湿ボックスは、前記送水管から送られた水を加湿フィルターに略均一に滴下する上面開放のボックス本体と、該ボックス本体の上面開口を閉塞する蓋とが上下に分割して構成され、前記加湿ボックスが、前記加湿フィルター体に加湿フィルターの上方部に形成されたボックス収容部に取外し自在に収容され、前記送水管に、加湿ボックスに対して水密状態で接続可能なゴム状弾性体からなるボックス側接続ジョイントが設けられたことを特徴とする請求項１に記載の加湿装置。
【発明の詳細な説明】
【０００１】
【発明の属する技術分野】
本発明は、加湿器など、水を気化させて空気調和を行なう加湿装置に関するものである。
【０００２】
【従来の技術】
従来、加湿装置としての加湿装置は、例えば実開昭５８−１４８５２０号公報に記載されているように、モータ及びその回転軸に羽根とテーパ形状の吸水管を取り付け、水槽部の水を吸水管の多数個の穴からフィルターに向けて飛散させ、この水で濡れたフィルターに乾燥空気を通過させることにより、加湿効果を得るようにしている。
【０００３】
また、冷風扇では、実開昭６３−１３４３２６号公報に記載されているように、貯水タンク内に貯水された水を加湿フィルタで吸水し、この加湿フィルタを通じて送風を行なうことにより、加湿フィルタの水が気化し、その際の気化熱により送風空気の温度を下げ、冷風として送風するようにしている。さらに、この冷風扇では、貯水タンク内の水の腐敗により細菌、かび、藻類などが発生し、異臭が発生するのを防止するために、加湿フィルタに脱臭剤を含有させ、貯水タンク内の水や送風空気の脱臭を行なうようにしている。
【０００４】
また、事務所や会議室などの換気の少ない密閉化された部屋では、部屋内の人が多いと、呼吸により排出される二酸化炭素やたばこの煙、ホコリなどの空気汚染物質が増加するため、人間をリラックスさせる効能を有するマイナスイオンが空気中から減少していく。特にタバコの煙によってマイナスイオンが多量に失われ、通常の１／２〜１／５程度にまで減少することがある。そこで空気中のマイナスイオンを補給するため、種々のイオン発生装置が提案されており、空気清浄機等に搭載されていた。
【０００５】
一方、近年殺菌・除菌に対するニーズが高まっているが、マイナスイオンのみを発生するイオン発生装置では空気中の浮遊細菌を積極的に除去することはできなかったが、出願人においてプラスイオンとマイナスイオンとを発生させるイオン発生装置を搭載した空気清浄機が実用化された。
【０００６】
【発明が解決しようとする課題】
ところで、加湿フィルタに脱臭剤を含有させる場合には、経年変化による脱臭性能の持続性が劣るとともに、加湿フィルタの交換の必要性などのメンテナンスに問題がある。また、貯水タンクに脱臭、除菌効果を有する薬剤を入れる場合には、特別な薬剤を買い求める必要があり、取扱いにくい問題を有している。
【０００７】
一方、加湿フィルタは水分が含まれた状態であり、細菌が繁殖しやすい状態が常時生じており、なるべく加湿フィルターに水分を含ませないようにしなければならない。
【００１８】
そこで、水を気化する加湿フィルターと、該加湿フィルターを通過する空気を送る送風手段と、水を加湿フィルターに送る送水手段と、該送水手段からの水を散水する散水手段とを備え、前記散水手段は、前記加湿フィルターの上方であって、かつ通過空気の流れ方向で加湿フィルターよりも上流側に配置し、加湿フィルター全体を使用して水の蒸発量を向上させることができる加湿装置が提案されているが、加湿フィルター及びこれに水を供給する散水手段、送水手段、さらには水受けトレーは、水を使用するため水垢が溜まり易く、細菌が繁殖しやすい環境にある。したがって、これを除去するために清掃メンテナンスが必要となる。
【００１９】
【課題を解決するための手段】
そこで、本発明は、加湿装置を構成する部材の清掃作業を容易に行える加湿装置の提供を目的とする。この目的を達成するため、本発明は、枠体に水を気化する加湿フィルターが取外し自在に収容されてなる加湿フィルター体と、前記加湿フィルターを通過する空気を送る送風手段と、水を加湿フィルターに送る送水手段と、該送水手段からの水を散水する散水手段とを備え、前記加湿フィルター体が装置本体に対して着脱自在に装着された加湿装置を提供するものである。この構成によると、加湿フィルター体が装置本体から着脱自在であるため、加湿フィルター体を取り外して清掃しやすくなり、また、加湿フィルターを交換する作業も容易に行える。
【００２０】
この加湿フィルター体以外に送水ポンプから散水手段に水を送る送水管も共に取り外せるよう加湿フィルター体に取り付けた構成を採用すれば、加湿フィルター体の着脱作業が容易になる。ただ、この場合、送水管と送水ポンプとが着脱自在な構成を採用しなければならない。
【００２１】
そこで、本発明においては、上記構成に加えて、前記加湿フィルター体の下方に水を一時的に貯める水受けトレーが設けられ、前記送水手段は、前記水受けトレーに設けられた送水ポンプと、該ポンプから送られた水を前記散水手段に送る送水管とを備え、該送水管は、前記ポンプの吐出口に水密状態で接続可能なポンプ側接続ジョイントを有し、前記加湿フィルター体に取り付けられて加湿フィルター体と共に装置本体に着脱自在に装着されたことを特徴とする加湿装置も提供しようとするものである。この構成によると、送水管と加湿フィルター体とを一体的に取り外すことができ、清掃メンテナンスも容易に行える。
【００２２】
また、散水手段も加湿フィルター体から取り外し可能な構成を採用すれば、散水手段自体の清掃も容易に行える。この場合、送水管と散水手段との接続も解除できる構成でなければならない。
【００２３】
そこで、本発明においては、上記構成に加えて、前記散水手段は、底面部に複数の散水穴が形成された加湿ボックスから構成され、前記加湿フィルター体に加湿フィルターの上方部でボックス収容部が形成され、該ボックス収容部に前記加湿ボックスが取外し自在に収容され、前記送水手段に、加湿ボックスに対して水密状態で接続可能なボックス側接続ジョイントが設けられたことを特徴とする加湿装置も提供するものである。この構成によると、加湿ボックスも取外し可能であるため、加湿ボックス内に溜まった水垢などの清掃も容易に行える。
【００２４】
さらに、水受けトレーも取外し可能な構成を採用するのが好適である。すなわち、本発明においては、水受けトレーは、トレー本体と、これと一体をなし前記加湿フィルター体を着脱自在に装着するフィルター体装着部とから構成され、装置本体に対して着脱自在に装着されたことを特徴とする加湿装置も提供することができる。この構成によると、水受けトレーも装置本体から取外して清掃することができるので、水供給系統の清掃が容易に行えることになる。
【００２５】
この場合、送水ポンプとして磁石分離型のポンプを使用する方が電気配線回りのシールが不要となる点で有利である。ただ、モータ部と送水機能部との接続状態を良好にする必要がある。
【００２６】
そこで、本発明においては、前記送水ポンプは磁石分離型ポンプであって、装置本体に配設されたモータ部と、前記水受けトレーに配設された送水機能部とから構成され、前記水受けトレーに前記送水ポンプの送水機能部をモータ部側に押圧する手段が設けられたことを特徴とする加湿装置も提供するものである。この構成によると、送水機能部側をモータ部側に押圧することにより、ポンプの回転ムラが解消され、吐出力が安定する。
【００２７】
このような清掃メンテナンスを容易にして細菌の繁殖を防止できる態様は、気化効率を高める上記加湿装置と組合わせて提供することができる。すなわち、本発明においては、請求項１〜６のいずれかの加湿装置を備えたことを特徴とする請求項７〜１１のいずれかに記載の加湿装置も提供することができる。
【００２８】
さらに、このような構成において、加湿フィルター体の装着部は、空気の送風路壁としても利用でき、また、前記空間部を形成する部材としても利用することができる。すなわち、本発明においては、フィルター体装着部は、加湿フィルターを通過する空気の流れ方向が開放された箱型形状をなして送風経路の一部とされ、その上流側開放面よりも所定幅後退した位置に前記加湿フィルター体が配置されると共に、前記上流側開放面と加湿フィルター体との間に加湿フィルターの上流側全面が対面し通過空気の流れ方向に沿って所定幅を有する空間部が形成されたことを特徴とする加湿装置も提供することができる。
【００２９】
【発明の実施の形態】
以下、本発明に係る加湿装置の一実施形態を図面を参照して説明する。図１〜図３は本発明に係る加湿装置の実施形態を示す加湿装置本体の斜視図である。図１において、１は加湿装置本体、２は水タンク、３はタンクを内側に装着したタンクカバー、４は給水タンクの水を一時的に貯める水受けトレー、５は本体を持ち運びする本体把手、６は吹出口、７はイオン吹出口、８は操作部である。
【００３０】
装置本体１は、箱形に形成され、その一面側に水タンク２およびトレー４を収容可能な収容部１ａと、トレー４の背部側に一体化された加湿フィルター体装着部２５を収容可能な収容凹部１ｂとが形成されている。収容部１ａを形成する本体１の一側壁には、装着するタンク２内の水量を目視可能な視認窓１ｃが形成されている。
【００３１】
そして、図３に示すように、水供給系統である水タンク２、水受けトレー４、及び、水受けトレー４の装着部２５に装着された加湿フィルター体１１は本体１に着脱自在に装着される態様を採用しており、これにより水供給系統の清掃メンテナンスも容易に行えるようになっている。
【００３２】
また、タンク収容部側を前側とすると、装置本体１の背面側には、図２に示すように、送風機１５により室内空気を吸い込む吸込口１７が形成され、この吸込口１７に空気用フィルター９が取り付けられている。また、装置本体１の上面には吸込口１７から吸込んだ空気を吹出す吹出口６、７が形成されている。この吹出口６，７は、加湿フィルター２０を通って水分を含んだ空気を吹出す加湿空気用の吹出口６と、マイナスイオンおよびプラスイオンを含んだ空気を吹出すイオン吹出口７であり、これらが本体上面に並んで配置されている。そして、装置本体１内には、吸込口１７から吹出口６，７に至る空気の経路が形成されている。
【００３３】
図４は加湿装置の概略構成図であり、装置本体内の空気の送風経路と水の供給経路を示している。空気の送風経路には、吸込口１７から吸込んだ空気を加熱する加熱体１６と、送風手段としての送風機１５と、さらに下流側の吹出口６に至る経路に配置された加湿フィルター体１１とが設けられ、また、送風機１５からの空気の一部がイオン吹出口７に至る経路には、プラスイオンとマイナスイオンとを発生するイオン発生装置１４が設けられている。
【００３４】
上記送風経路のおいては、送風機１５により装置本体１の吸込口１７より吸い込んだ空気は加熱体１６で加温されて送風機１５から加湿フィルタ−２０（図１４参照）に送られ、加湿フィルター２０に吸込まれている水分を乾燥した空気又は加温した空気で離脱させて、水分を含んだ空気として吹出口６より放出される。また、送風機１５を出た空気の一部はイオン発生装置１４に送られ、イオン発生装置１４で発生したプラスイオンとマイナスイオンを含んだ空気となって、イオン吹出口７より吹出される。
【００３５】
また、加湿フィルター２０に水を供給する水の供給経路においては、装置本体１から取り外し自在な水タンク２の水がタンク２の弁部１８（図９参照）を介して水受けトレー４に一時的に貯められ、トレー４の底面に設けられたポンプ１２でトレー４内の水を加湿ボックス１３に送り、加湿ボックス１３に複数に設けられている散水穴１９（図１７を参照）から加湿フィルター体１１の加湿フィルター２０の上方部に散水され、加湿フィルター２０の素材に吸水され、また、空気に含まれずに残った水は、加湿フィルター２０の下方部のトレー４に戻されるようになっている。
【００３６】
図５は装置本体１の内部構造を示す断面図である。装置本体１の内部には、空気の送風経路として、送風機１５のファンを取り囲む略円筒形の送風案内壁１ｄが形成され、その下流側の一部が開口１ｅされ、送風経路の一部を構成する加湿フィルター体装着部２５を介して吹出口６に至る空気経路が形成されている。また、装置本体１には、吹出口７に至るイオン発生路４３が形成され、このイオン発生路４３が加湿フィルター体装着部２５における上流側の空間部４２に開口され、送風機１５からの空気の一部は前記開口１ｅから空間部４２を通り、イオン発生路４３から吹出口７に至る空気経路も形成されている。
【００３７】
加湿フィルター体装着部２５の上流側に形成される空間部４２は、装着部２５の上流側開放面と加湿フィルター体１１との間に形成されるもので、加湿フィルター２０の上流側全面が対面し通過空気の流れ方向に沿って所定幅を有し、これにより、送風機１５からの空気を加湿フィルター２０に略均等に通過させる機能を備えている。この空間部４２は、送風機側の開口１ｅからその上下に垂直に立ち上がる立ち上がり壁１ｆと、空気の流れ方向に開放された箱型形状をなす加湿フィルター体装着部２５の前後の側壁と加湿フィルター２０により囲まれて形成されるものである。
【００３８】
送風機１５は、円筒形の送風案内壁１ｄの内側に配置され装置本体１に回転自在に支持された円筒形のファンと、このファンを回転させるファンモータ（図示略）とから構成されている。そして、ファンの回転により、その軸方向に位置する吸込口１７から室内空気を吸込み、吸込んだ空気をその周囲にある送風案内壁１ｄに沿って開口部１ｅ側に導き、加湿フィルター２０やイオン発生装置１４を経て吹出口６、７から室内に吹出すようになっている。送風機１５は加湿を多量に発生させるときに風量を多くし、また加湿を少量にするときに風量を少なくするよう、送風機１５の回転数が制御される。
【００３９】
加熱体１６は、正特性のセラミックヒータなどで構成され、送風機１５の上流側に配設されている。加熱体１６は極力使用せずに加湿の立上がりを早めたいときや加湿を多量に発生するときに駆動させるように制御される。また、加熱体１６は、加湿運転開始時に送水ポンプ１２の駆動開始前に通電されて加湿フィルター２０を極力乾燥して細菌の繁殖を防止できるように制御される。
【００４０】
水タンク２は、図３に示すように、その上面と前面を覆うタンクカバー３の内側に配設され、タンクカバー３の凹部形状の把手部３ａに手先を挿入してタンク２を持ち運びできるようになっている。このタンク２は、直方体状の箱型のタンク本体２ａと、その給水口２ｂに螺子締めされたタンクキャップ２３とを備えている。
【００４１】
装置本体１への水タンク２の装着は、タンクキャップ２３をトレー４の受け部４ａに挿入し、また、タンクカバー３の係止爪（図示せず）を本体１の係止穴（図示せず）に上方から挿入することで行われ、これにより、タンクカバー３の内側のタンク２が本体１に装着されるようになっている。
【００４２】
図９（ａ）はタンクキャップ２３とトレー４の受け部４ａとの関係を概略的に示す拡大断面図である。図示のごとく、水タンク２は、その給水口２ｂのタンクキャップ２３を取り外して給水口２ｂから水タンク本体２ａ内に給水することにより、トレー４に溜める水を貯えることができるようになっている。
【００４３】
タンクキャップ２３には、図９（ａ）に示すように、弁機構１８が設けられている。この弁機構１８は、弁シャフト２８、ゴム状の弁シート３０及び弁スプリング２９から構成されている。
【００４４】
弁シャフト２８は、図９（ａ）（ｂ）に示すように、その一方の端に円板状の受け部２８ａが一体的に形成されており、他方の端（すなわち水タンク２側）には弁シート３０がわずかに下方向に向かって凸字形になるように取付けられている。また、タンクキャップ２３の開口２３ｃには、弁シャフト２８をその長手方向に往復移動しうるように、弁シャフト２８を四方から所定の隙間をあけて支持するリング状の座受け部２３ａおよびリブ２３ｂが設けられている。
【００４５】
弁スプリング２９は、リング状の座受け部２３ａと弁シャフト２８の受け部２８ａとの間に介在され、タンクキャップ２３の開口２３ｃを弁シート３０で塞がれる方向に付勢するようにしている。
【００４６】
このため、トレー４の受け部４ａで水タンク２の弁機構１８を押さない限り、水タンク２内は弁機構１８によって密閉状態が保持され、水タンク２から水が漏れることがない。水タンク２がトレー４に取付けられると、弁シャフト２８がトレー４の受け部４ａに押されて上方に移動し、弁機構１８の弁スプリング２９が縮んだ状態になり、弁機構１８が開いて水タンク２内の水が落差によりトレー４内に供給される。これにより、トレー４内の水位がタンクキャップ２３の先端位置で一定に保持される。
【００４７】
図６〜図８において、水受けトレー４は、上面が開放した箱型形状のトレー本体４４と、これと一体をなし加湿フィルター体１１を着脱自在に装着するフィルター体装着部２５とから構成され、装置本体１に対して着脱自在に取り付けられ、水の供給系統における清掃メンテナンスを容易に行えるようになっている。
【００４８】
トレー本体４４は、装置本体１の前面収容部１ａにおいて水タンク２の下方に配置され、内側に水タンク２の下部を挿入できる大きさに設定されている。このトレー本体の底面には水タンク２の弁機構１８に対向して受け部４ａが突出形成され、運搬式の水タンク２から落差で補給された水を一時的に貯めることができるようになっている。また、トレー本体４４の内部には、水の量が低減して水位が所定以下に達したことを検知する水位検出手段２１（図４参照）が設けられ、この水位検出手段２１で所定水位以下を検出すると、操作部８に報知するようになっている。
【００４９】
トレー本体４４の後壁４４ｂに一体化された加湿フィルター体装着部２５は、箱型形状をしており、加湿フィルター体１１を通る送風経路の一部を構成し、送風経路の下流側となる上面が開放され、また上流側となる左側面（送風機側）も下部にわずかな立ち上がり壁２５ｇ（図１０参照）を残して開放されている。そして、装着部２５の前面２５ｈとトレー本体４４の後壁４４ｂとが一体化され、トレー４の後壁４ｂに装着部２５の底部と連通する開口４ｃが形成されている。
【００５０】
装着部２５の前面壁および後面壁には、図６および図７に示すように、その送風機側開口部から所定の距離Ｌをおいて、空気の流れ方向に間隔をおいた一対のガイドリブ４１が形成され、このガイドリブ４１間に加湿フィルター体１１を上方から着脱自在に装着できるようにしている。このガイドリブ４１よりも送風機側で所定の距離Ｌを確保したのは、前述のように、加湿フィルター体装着部２５の加湿フィルター体１１と送風機側の送風壁の開口１ｅとの間に所定幅の空間部４２を形成して送風機からの空気を加湿フィルター２０の全域に均等に供給するためである。
【００５１】
加湿フィルター体装着部２５の前面壁および後面壁は、その左側縁が装置本体の開口１ｅの上下立ち上がり壁１ｆに沿って収容できるようになっており、左側縁が立ち上がり壁１ｆと対面することで、空間部４２がほぼ気密状態で形成されるようになっている。
【００５２】
図１０は加湿フィルター体装着部のポンプ取付状態を示す概略図、図１１はそのＢ−Ｂ断面図、図１２はポンプ位置決め状態を示す図、図１３は送水ポンプの送水機能部とモーター部との配置関係を示す断面図である。
【００５３】
装着部２５の底面部には、トレー本体４４の後壁開口４ｃの近傍においてトレー４の受け部４ａと連通した一段と低い箱状の凹部２５ａが形成され、この凹部２５ａにトレー４の水を加湿ボックス１３に送る送水ポンプ１２の送水機能部２６が装着され、該送水機能部２６が常に水面下に位置するようになっている。送水ポンプ１２は、水を加湿フィルター２０に送る送水手段としての主要部を構成するもので、図１１〜図１３に示すように、磁石タイプモータが採用され、水を送る送水機能部２６と、モータ部２７とが分離される構造となっている。
【００５４】
図１３において、駆動側のモータ部２７は、モータ２７ａのシャフト２７ｂに、中心部に固定穴を形成した駆動マグネット受け５０が圧入され、この駆動マグネット受け５０の表面に駆動マグネット５１が接着されている。駆動マグネット受け５０とモータ２７ａとの間には凹部２５の壁面２５ｄに固定するモータハウジング５２が固定され、壁面２５ｄとモータ２７ａとはモータハウジング５２を介して螺子で固定されている。
【００５５】
一方、送水機能部２６は、羽根ハウジング５３、従動マグネット５４付きの羽根車５５、および吸入ハウジング５６から構成されている。羽根ハウジング５３は、片面が閉塞した円筒状に形成され、その外周に吐出口５７が突出形成されている。羽根ハウジング５３の軸中心には羽根車５５が回転自在に内蔵されている。
【００５６】
羽根車５５は、４枚の羽根５８が等間隔に配置されたもので、その凹部壁面側に形成された凹部に従動マグネット５４が収容固定され、また、外周には全周に亘ってリブ５９が形成されている。
【００５７】
吸入ハウジング５６は、羽根ハウジング５３の開放端側に係止された円筒状のものであって、その羽根ハウジング５３側が羽根の形状に沿ったすり鉢状をなし、中心部には羽根側への吸込口６１が形成されている。また、吸入ハウジング５６の開放側には皿状をし、細かいメッシュの吸入口６２が形成されている。
【００５８】
上記構成において、モータ２７ａに通電すると、そのシャフトに固定された駆動マグネット受け３の回転と共に駆動マグネット５１も回転する。羽根車５５は、これに固定された従動マグネット５４が駆動マグネット５１と吸引状態にあるため、駆動マグネット５１の回転に同期して回転する。羽根車５５の回転に伴い水は吸入ハウジングの吸入口６２から吸込まれ、羽根車５５の回転による遠心力により昇圧されて吐出口５７から吐出される。
【００５９】
この送水機能部２６は、極力モータ部２７側との隙間がない方が好ましい。そのため、送水機能部２６をモータ部２７側に押圧する手段を設ける構成が好ましい。この押圧手段として、図１１および図１２に示すように、凹部２５ａの底面部には、送水機能部２６の羽根ハウジング５３に形成された取付穴２６ａに嵌合して送水機能部２６を半固定するためのボス２５ｂと羽根ハウジングの外周を押える位置決め用のＬ状立壁２５ｃとが形成され、さらに、吸入ハウジング５６側をモータ部２７側に押えるための複数のリブ２５ｄが形成され、該リブ２５ｄは、送水機能部２６を嵌合しやすくするためにその先端がテーパ状に形成されている。
【００６０】
上記構成においては、送水機能部２６の取付穴２６ａをボス２５ｂに挿入し、凹部底面部まで底あたりで装着されると、リブ２５ｄでモータ部２７側に押し出された形で固定される。このために、送水機能部２６とモータ部２７との距離が常時一定にすることができるので、モータ部２７の回転を確実に送水機能部２６に伝達することができ、安定した形で水を送ることができる。なお、上記押圧手段は、上記構成に限定されるものでなく、例えば送水機能部２６をモータ部側に付勢するバネ部材を使用してもよい。
【００６１】
図１４及び図１５において、加湿フィルター体１１は、加湿フィルター２０と枠体２４とを備えている。枠体２４は、図１４に示すように、直方体状の箱型形状とされ、装着部２５の内側に形成された一対のガイドリブ４１に上方から挿入可能な形状とされている。枠体２４は、空気通路となる左右側面が開放され、空気流の下流側開放面には骨材が縦横に差し渡されて格子４６が形成され、上流側開放面からは加湿フィルター２０を挿入できるようになっている。枠体２４の底面には、図１５（ｂ）に示すように、加湿フィルター２０で吸入できなかった水を装着部２５の凹部２５ａに戻す穴４７が形成されている。
【００６２】
枠体２４の上部には、加湿フィルター２０の装着位置よりも上方に空気の上流側となる左側面が開放したボックス収容部４８が形成され、このボックス収容部に加湿フィルター２０に対して上方から散水する散水手段としての加湿ボックス１３が着脱自在に内装されようになっている。
【００６３】
また、図１８及び図１９に示すように、枠体２４のボックス収容部４８を形成する前後の側壁には、加湿ボックス１３を係止する係止手段として、上流側開口部の近傍の後側壁に細長穴２４ａが空気の流れ方向に形成され、また前側壁に角穴２４ｂが形成されている。角穴２４ｂは、後述するように、上記係止手段としての加湿ボックス側のリブ３３ｄを係止するためと、ボックス側接続ジョイント３４を貫通させるために形成されている。
【００６４】
枠体２４の上流側開口部の前後縁には、上下方向にわたってフランジ４９が形成され、枠体２４の前後壁にはその上下に３箇所にフランジ側から空気の流れ方向で下流側に向かって板材２４ｃ（図１４参照）が水平に一体形成されている。そして、フランジ４９から板材２４ｃの右端までの幅が装着部２５のガイドリブ４１間の距離に設定され、装着部２５に加湿フィルター体１１を挿入するときの位置決めの役割を果たしている。
【００６５】
また、枠体２４の前側にある板材２４ｃには、送水手段の一部を構成する送水管３１（図１４参照）を係止する穴が形成され、この穴に送水管３１が止着され、加湿フィルター体１１と共に装着部２５及び装置本体１から取外し自在とされている。この送水管３１は、図１６に示すように、ボックス側接続ジョイント３４、直管部３５及びポンプ側接続ジョイント３６から構成されている。
【００６６】
ボックス側接続ジョイント３４は、Ｌ型管状に形成され、その一方が加湿フィルター体１１の枠体２４に形成された角穴２４ｂ（図１４および図１８参照）から枠体内側に臨むように配設され、加湿ボックス１３側の供給穴３３ｂに水密状に接続可能とされ、他方が直管部３５の外側に接続固定されている。
【００６７】
ポンプ側接続ジョイント３６は、直線管状をなし、その一方が直管部３５の外側に接続固定され、他方がポンプ１２の断面が円錐台形状の吐出口５７（図１０および図１６参照）に水密状に接続可能とされている。そして、ポンプ１２の吐出口５７との接触面は内側に円錐凹状をなし、ポンプ１２の吐出口５７とのシール性を向上させている。両接続ジョイント３４，３６は、そのシール性を向上させるために、ゴム状弾性体から構成されるのが好適であるが、これに限るものではない。
【００６８】
図１７において、加湿ボックス１３は、ポンプ１２から送られてきた水を加湿フィルター２０の上方から均一に散水するためのものであって、蓋３２とボックス本体３３とが上下に分割される構成となっている。上側の蓋３２は箱状のボックス本体３３の上面開口を閉塞する役目をし、下側のボックス本体３３は水を加湿フィルター２０に略均一に滴下する役目をしている。
【００６９】
すなわち、ボックス本体３３は、上面が開放した箱型の直方体状に形成され、その底面に複数の散水穴１９が空気の流れ方向（左右方向）に複数個（2個）配列され、また加湿フィルター２０の幅方向（前後方向）に複数個形成され、幅方向の散水穴１９同士が仕切壁３３ａで互いに区分され、供給された水を略均一に分配する機能を果たしている。
【００７０】
また、ボックス本体３３の前側壁には空気の流れ方向で上流側位置に送水管３１の接続ジョイント３４と水密状態で接続可能とする供給穴３３ｂが形成されている。この供給穴３３ｂは空気の流れ方向で散水穴１９とずれた上流側位置に形成され、水を散水穴１９に均一に分配する分配機能の一部を果たすようになっている。
【００７１】
ボックス本体３３の外側には、図１８に示すように、枠体２４との係止手段として、略三角状の小さい係止リブ３３ｃと大きい係止リブ３３ｄとが形成され、枠体２４に形成された穴２４ａ，２４ｂに係脱自在に係止されるようになっている。加湿ボックス１３は、枠体２４への収容状態で、前記リブ３３ｃ，３３ｄが枠体２４の穴２４ａ，２４ｂに係止され、その上流側面が枠体２４の上流側開放面と略面一となるように設定されている。上記係止手段の採用により、螺子を使用しないで外部を同一面として加湿ボックス１３を枠体２４に収容することができる。
【００７２】
また、ボックス本体３３は、その底面部の外側には一段低くした凹面部３３ｅが形成され、この凹面部に塵を除去するための不織布などから構成される水フィルター３３ｆが熱圧着されている。
【００７３】
枠体２４に収容される加湿フィルター２０は、図１５に示すように、吸水性を有する不織布からなり、断面形状がＷ字状に連続してジグザグ状に折り曲げされて全体として直方体をなし、その長手方向の途中に複数箇所で幅を２mm前後で折曲部を溶着して腰を強くし、折曲部同士の間隔がなるべく均一するようにしている。そして、この加湿フィルター２０が空気の流れ方向に２列に配列されて枠体２４に取外し自在に収容されている。また、２列の加湿フィルター２０の折曲部の位置は、互いに半ピッチずれた位置関係で枠体２４に収容されて、通過する空気の抵抗を大きくするようにして、蒸発量を向上させるようにしている。
【００７４】
この加湿フィルター２０と加湿ボックス１３の散水穴１９との位置関係は、図１５に示すように、空気の流れ方向に２個間隔をおいて形成された散水穴１９が２列の加湿フィルター２０のほぼ中間に位置するようにし、全体としてみれば、散水穴１９が加湿フィルター２０の送風側に形成された状態となっている。従って、散水は加湿フィルター２０の上方部に略均一に散水することができ、また、送風機１５からの空気の影響で少なくとも下流側に位置する加湿フィルター２０では、その内部を斜めに水が流れるようになり、加湿フィルター２０全体を使用した状態となり、水の蒸発量を向上させることができる。
【００７５】
図５に示すように、装置本体１に形成されたイオン発生路４３にはイオン発生装置１４が配設されている。このイオン発生装置１４は、表面電極と内部電極との間に交流高電圧を印加することにより、プラスイオンとマイナスイオンが発生する公知な構造のものであって、イオン発生路に配設されている。なお、イオン発生装置はプラスイオン及びマイナスイオンのうちの一方のみを発生する装置であってもよい。
【００７６】
上記構成において、加湿フィルター体１１を加湿フィルター体装着部２５に装着した状態で、これを本体１に装着した場合、加湿フィルター体１１と送風機１５の出口とには一定の空間部４２が形成されるので、送風機１５からの空気は加湿フィルタ２０ーの通過抵抗で、空気が空間全体に広がって加湿フィルター２０を通過することになる。このとき、空間部４２の空気の一部は、空間部上方の開口を通ってイオン発生路４３に流れ、イオン発生装置１３のイオン発生素子から発生したプラスイオンとマイナスイオンを含んでイオン吹出口７より放出されることになる。そのため、空気中の浮遊細菌を除去して快適な空気を得ることができる。
【００７７】
次に、上記加湿装置の動作を説明すると、まず、水タンク２をトレー４にセットする。そして、図２０に示す操作部８の運転スイッチ８１を『入』にし、加湿スイッチ８２を押して自動運転モードを選択すると、加湿自動運転がスタートする。加湿スイッチ８２を順送り押していくと、『６０』→『５０』→『４０』→『のどうるおい』→『おやすみ』→『連続』→『６０』の加湿運転モードを選択し、選択された加湿運転モードで加湿運転される。
【００７８】
加湿スイッチ８２がＯＮ状態にされると加湿運転され、イオン発生装置１４も自動的に併用運転をする。また、加湿運転開始時に、ポンプ１２の駆動開始前に、加熱体１６に通電すると、送風機１５で吸込まれる空気が加温され、温度の高くなった空気が加湿フィルター２０に送られ、運転停止中に僅かに含んだ水分がある加湿フィルター２０の水分を蒸発させて乾燥状態にする。従って、運転停止中に加湿フィルター２０に繁殖した細菌を除去することができ、運転初期の臭いの発生も防止される。
【００７９】
このように、加湿運転をしながらイオン発生装置１４を併用運転すると、空気中の湿度は上昇し、風邪のウイルス菌の生息率を低下させ、更にイオン発生装置１４によりプラスイオンとマイナスイオンを交互に発生させることにより空気中の浮遊細菌を除去することが出来、快適な空気を得ることができる。
【００８０】
【発明の効果】
以上の説明から明らかな通り、本発明によると、加湿装置を構成する加湿フィルター体、送風手段、送水手段、および散水手段の中から、加湿フィルター体と送水管とを一体的に取り外すことができるので、清掃メンテナンスが容易に行える。
【図面の簡単な説明】
【図１】本発明に係る加湿装置の実施形態を示す本体タンク側の斜視図である。
【図２】図１の本体タンク側と反対側の斜視図である。
【図３】図１の本体の分解斜視図である。
【図４】図１の概略構成図である。
【図５】図１のＡ−Ａ断面図である。
【図６】水受けトレーのタンク側からみた斜視図である。
【図７】水受けトレーを背面側からみた斜視図である。
【図８】水受けトレーの弁受け部の要部斜視図である。
【図９】（ａ）は水タンクの弁機構を示す構造図、（ｂ）はその開口部の平面図である。
【図１０】加湿フィルター体装着部のポンプ取付状態を示す概略図である。
【図１１】図１０のＢ−Ｂ断面図である。
【図１２】図１０のポンプ位置決め状態を示す断面図である。
【図１３】送水ポンプのポンプ部とモーター部との配置関係を示す断面図である。
【図１４】加湿フィルター体を送風下流側からみた概略斜視図である。
【図１５】（ａ）は散水穴と加湿フィルターとの配置関係を示す平面図、（ｂ）は加湿フィルター体の縦断面図である。
【図１６】送水管の接続部を示す概略断面図である。
【図１７】加湿ボックスの分解斜視図である。
【図１８】加湿フィルター体の枠体と加湿ボックスとの係止状態を示す分解斜視図である。
【図１９】図１８の加湿ボックスの取付状態の詳細図である。
【図２０】図１の操作部の概略図である。
【符号の説明】
１  機体
２  水タンク
３  タンクカバー
４  トレー
５  本体把手
６  吹出口
７  イオン吹出口
８  操作部
９  空気用フィルター
１１  加湿フィルター体
１２  ポンプ（送水手段）
１３  加湿ボックス（散水手段）
１４  イオン発生装置
１５  送風機
１６  加熱体（セラミックヒータ）
１７  吸込口
【図１】
0003926600.tif 000002
【図２】
0003926600.tif 000003
【図３】
0003926600.tif 000004
【図４】
0003926600.tif 000005
【図５】
0003926600.tif 000006
【図６】
0003926600.tif 000007
【図７】
0003926600.tif 000008
【図８】
0003926600.tif 000009
【図９】
0003926600.tif 000010
【図１０】
0003926600.tif 000011
【図１１】
0003926600.tif 000012
【図１２】
0003926600.tif 000013
【図１３】
0003926600.tif 000014
【図１４】
0003926600.tif 000015
【図１５】
0003926600.tif 000016
【図１６】
0003926600.tif 000017
【図１７】
0003926600.tif 000018
【図１８】
0003926600.tif 000019
【図１９】
0003926600.tif 000020
【図２０】
0003926600.tif 000021